(57)【要約】【課題】ポイント・ツー・ポイント通信を行う２つの端末装置を関連付ける新たなしくみを備えた通信システム、端末装置及びその制御方法を提供することを目的とする。【解決手段】ネットワークを介して接続される２つの端末装置が、ポイント・ツー・ポイント通信を行う通信システムであって、前記端末装置は、着脱可能な交換型記録媒体にアクセスするインターフェイス部を備えており、前記ポイント・ツー・ポイント通信を開始する際に前記端末装置間で交換する情報を、前記交換型記録媒体を介して、前記端末装置間で送受するように構成した。【選択図】図１
2008022525.tif 000002
【特許請求の範囲】
【請求項１】
ネットワークを介して接続される第１の端末装置及び第２の端末装置が通信を行う通信システムであって、
前記第１及び第２の端末装置は、着脱可能な交換型記録媒体にアクセスするインターフェイス部を備えており、
前記交換型記録媒体を介して、相手側の端末装置と通信を行うための情報を、前記第１及び第２の端末装置間で送受することを特徴とする通信システム。
【請求項２】
前記第１の端末装置は、装着された前記交換型記録媒体に、前記第２の端末装置へ通知する、前記第１の端末装置を識別するための第１の識別情報を保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報を読み取って保存すると共に、前記第１の端末装置へ通知する、前記第２の端末装置を識別するための第２の識別情報を前記交換型記録媒体に保存し、
前記交換型記録媒体が前記第２の端末装置から取り出された後、前記交換型記録媒体の前記第１の端末装置への装着を検知したとき、前記第１の端末装置は、前記交換型記録媒体に保存されている前記第２の識別情報を読み取って保存するように構成したことを特徴とする請求項１記載の通信システム。
【請求項３】
前記第１の端末装置は、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報及び前記暗号通信関連情報を読み取って保存すると共に、前記第１の端末装置へ通知する、前記第２の端末装置を識別するための第２の識別情報を前記交換型記録媒体に保存し、
前記交換型記録媒体が前記第２の端末装置から取り出された後、前記交換型記録媒体の前記第１の端末装置への装着を検知したとき、前記第１の端末装置は、前記交換型記録媒体に保存されている前記第２の識別情報を読み取って保存するように構成したことを特徴とする請求項１記載の通信システム。
【請求項４】
前記交換型記録媒体には、前記第２の端末装置に固有な固有ＩＤが不揮発的に書き込まれており、
第１の端末装置は、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報を読み取って保存するように構成したことを特徴とする請求項１記載の通信システム。
【請求項５】
前記第１の端末装置は、暗号通信に必要な暗号通信関連情報を生成し、装着された前記交換型記録媒体に、前記第２の端末装置へ通知する、前記第１の識別情報及び前記暗号通信関連情報を保存すると共に、前記交換型記録媒体に書き込まれている前記固有ＩＤを、前記第２の端末装置から通知される情報として保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報及び前記暗号通信関連情報を読み取って保存するように構成したことを特徴とする請求項４記載の通信システム。
【請求項６】
前記交換型記録媒体には、固有ＩＤが不揮発的に書き込まれており、
前記第１の端末装置は、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報を読み取って保存すると共に、前記交換型記録媒体に保存されている前記固有ＩＤを、前記第２の端末装置が前記第１の端末装置へ通知する情報として保存するように構成したことを特徴とする請求項１記載の通信システム。
【請求項７】
前記第１の端末装置は、暗号通信に必要な暗号通信関連情報を生成し、装着された前記交換型記録媒体に、前記第２の端末装置へ通知する、前記第１の端末装置を識別するための第１の識別情報及び前記暗号通信関連情報を保存すると共に、前記交換型記録媒体に書き込まれている前記固有ＩＤを、前記第２の端末装置から通知される情報として保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の情報及び前記暗号通信関連情報を読み取って保存すると共に、前記交換型記録媒体に保存されている前記固有ＩＤを、前記第２の端末装置が前記第１の端末装置へ通知する情報として保存するように構成したことを特徴とする請求項６記載の通信システム。
【請求項８】
前記第１の識別情報が保存された前記交換型記録媒体が前記第１の端末装置から取り出された後、前記交換型記録媒体の前記第２の端末装置への装着を検知したときに、前記第２の端末装置は、前記交換型記録媒体に保存されている前記固有ＩＤが、前記第２の端末装置に予め登録されている登録固有ＩＤに含まれるか否かを判定し、含まれている場合には、前記固有ＩＤを自端末装置が前記第１の端末装置へ通知する情報として保存すると共に、前記交換型記録媒体に保存されている前記第１の識別情報を読み取って保存する一方、含まれていない場合には、その時点で通信を終了するように構成したことを特徴とする請求項６記載の通信システム。
【請求項９】
前記第１の識別情報及び前記暗号通信関連情報が保存された前記交換型記録媒体が前記第１の端末装置から取り出された後、前記交換型記録媒体の前記第２の端末装置への装着を検知したとき、前記第２の端末装置は、前記交換型記録媒体に保存されている前記固有ＩＤが、前記第２の端末装置に予め登録されている登録固有ＩＤに含まれるか否かを判定し、含まれている場合には、前記固有ＩＤを前記第２の端末装置が前記第１の端末装置へ通知する情報として保存すると共に、前記交換型記録媒体に保存されている前記第１の識別情報及び前記暗号通信関連情報を読み取って保存する一方、含まれていない場合には、その時点で通信を終了するように構成したことを特徴とする請求項７記載の通信システム。
【請求項１０】
前記第１の識別情報が保存された前記交換型記録媒体が前記第１の端末装置から取り出された後、前記交換型記録媒体の前記第２の端末装置への装着を検知したとき、前記第２の端末装置は、前記交換型記録媒体に保存されている前記固有ＩＤが、前記第２の端末装置に予め登録されている拒否固有ＩＤに含まれるか否かを判定し、含まれている場合には、その時点で通信を終了するように構成したことを特徴とする請求項８記載の通信システム。
【請求項１１】
前記第１の識別情報及び前記暗号通信関連情報が保存された前記交換型記録媒体が前記第１の端末装置から取り出された後、前記交換型記録媒体の前記第２の端末装置への装着を検知したとき、前記第２の端末装置は、前記交換型記録媒体に保存されている前記固有ＩＤが、前記第２の端末装置に予め登録されている拒否固有ＩＤに含まれるか否かを判定し、含まれている場合には、その時点で通信を終了するように構成したことを特徴とする請求項９記載の通信システム。
【請求項１２】
前記第１の端末装置は、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存し、
前記交換型記録媒体が前記第１の端末装置から取り出された後、前記交換型記録媒体の前記第２の端末装置への装着を検知したとき、前記第２の端末装置は、前記交換型記録媒体に保存されている前記第１の識別情報及び前記暗号通信関連情報を読み取って保存すると共に、前記交換型記録媒体に保存されている前記暗号通信関連情報を消去することを特徴とする請求項２記載の通信システム。
【請求項１３】
ネットワークを介して接続される２つの端末装置が通信を行う通信システムの端末装置であって、
着脱可能な交換型記録媒体にアクセスするインターフェイス部を備えており、
前記交換型記録媒体を介して、相手側の端末装置と通信を行うための情報を、前記２つの端末装置間で送受することを特徴とする端末装置。
【請求項１４】
ネットワークを介して接続される第１の端末装置と第２の端末装置がポイント・ツー・ポイント通信を行う通信システムの端末装置を制御する制御方法であって、
前記第１及び第２の端末装置が着脱可能な交換型記録媒体にアクセスするインターフェイス部を備えており、
前記交換型記録媒体を介して、相手側の端末装置と通信を行うための情報を、前記第１及び第２の端末装置間で送受することを特徴とする制御方法。
【請求項１５】
前記第１の端末装置において、装着された前記交換型記録媒体に、前記第２の端末装置へ通知する、前記第１の端末装置を識別するための第１の識別情報を保存する手順と、
前記交換型記録媒体が前記第１の端末装置から取り出された後、前記交換型記録媒体の前記第２の端末装置への装着を検知する手順と、
前記第２の端末装置において、装着された前記交換型記録媒体に保存されている前記第１の識別情報を読み取って保存すると共に、前記第１の端末装置へ通知する、前記第２の端末装置を識別するための第２の識別情報を前記交換型記録媒体に保存する手順と、
前記交換型記録媒体が前記第２の端末装置から取り出された後、前記交換型記録媒体の前記第１の端末装置への装着を検知する手順と、
前記第１の端末装置において、装着された前記交換型記録媒体に保存されている前記第２の識別情報を読み取って保存する手順と、
を有することを特徴とする請求項１４記載の制御方法。
【請求項１６】
前記第１の端末装置において、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存する手順と、
前記交換型記録媒体が前記第１の端末装置から取り出された後、前記交換型記録媒体の前記第２の端末装置への装着を検知する手順と、
前記第２の端末装置において、装着された前記交換型記録媒体に保存されている前記第１の識別情報及び前記暗号通信関連情報を読み取って保存すると共に、前記第１の端末装置へ通知する、前記第２の端末装置を識別するための第２の識別情報を前記交換型記録媒体に保存する手順と、
前記交換型記録媒体が前記第２の端末装置から取り出された後、前記交換型記録媒体の前記第１の端末装置への装着を検知する手順と、
前記第１の端末装置において、装着された前記交換型記録媒体に保存されている前記第２の識別情報を読み取って保存する手順と、
を有することを特徴とする請求項１４記載の制御方法。
【請求項１７】
前記交換型記録媒体に、前記第２の端末装置に固有な固有ＩＤを不揮発的に書き込む手順と、
第１の端末装置において、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存する手順と、
前記交換型記録媒体が前記第１の端末装置から取り出された後、前記交換型記録媒体の前記第２の端末装置への装着を検知する手順と、
前記第２の端末装置において、装着された前記交換型記録媒体に保存されている前記第１の識別情報を読み取って保存する手順と、
を有することを特徴とする請求項１４記載の制御方法。
【請求項１８】
前記交換型記録媒体に、固有ＩＤを不揮発的に書き込む手順と、
前記第１の端末装置において、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存する手順と、
前記交換型記録媒体が前記第１の端末装置から取り出された後、前記交換型記録媒体の前記第２の端末装置への装着を検知する手順と、
前記第２の端末装置において、装着された前記交換型記録媒体に保存されている前記第１の識別情報を読み取って保存すると共に、前記交換型記録媒体に保存されている前記固有ＩＤを、前記第２の端末装置が前記第１の端末装置へ通知する情報として保存する手順と、
を有することを特徴とする請求項１４記載の制御方法。
【請求項１９】
ネットワークを介して接続される第１の端末装置と第２の端末装置がポイント・ツー・ポイント通信を行う通信システムの端末装置を制御する制御方法をコンピュータに実行させるためのプログラムであって、
前記第１及び第２の端末装置が着脱可能な交換型記録媒体にアクセスするインターフェイス部を備えており、前記制御方法は、
前記第１の端末装置において、装着された前記交換型記録媒体に、前記第２の端末装置へ通知する、前記第１の端末装置を識別するための第１の識別情報を保存する手順と、
前記交換型記録媒体が前記第１の端末装置から取り出された後、前記交換型記録媒体の前記第２の端末装置への装着を検知する手順と、
前記第２の端末装置において、装着された前記交換型記録媒体に保存されている前記第１の識別情報を読み取って保存すると共に、前記第１の端末装置へ通知する、前記第２の端末装置を識別するための第２の識別情報を前記交換型記録媒体に保存する手順と、
前記交換型記録媒体が前記第２の端末装置から取り出された後、前記交換型記録媒体の前記第１の端末装置への装着を検知する手順と、
前記第１の端末装置において、装着された前記交換型記録媒体に保存されている前記第２の識別情報を読み取って保存する手順と、
を有することを特徴とするプログラム。
【請求項２０】
請求項１９記載のプログラムを記録したコンピュータ読み取り可能な記録媒体。
【発明の詳細な説明】
【技術分野】
【０００１】
本発明は、ネットワークを介して接続される２つの端末装置が、ポイント・ツー・ポイント通信を行う通信システム、前記通信システムの端末装置及びその制御方法に関する。ここで、端末装置としては、コンピュータ、ワークステーションや、複写機（デジタル複写機を含む）、プリンタ、ファクシミリ、デジタル複合機等の画像処理装置等、ネットワークに接続される電子機器が含まれる。
【背景技術】
【０００２】
近年、多数の端末装置をネットワークへ接続し、端末装置間で種々のデータの送受信を行えるように構成した通信システムの構築が進んでおり、種々の形態の通信システムが実現されている。
【０００３】
特に、無線通信により端末装置間を接続する無線ネットワークシステム（例えば、無線ＰＡＮ（Ｐｅｒｓｏｎａｌ  Ａｒｅａ  Ｎｅｔｗｏｒｋ）は、ユビキタス・ネットワーク社会を構築する上で非常に重要な通信システムである。無線ＰＡＮは、１０ｍ程度までの通信距離をサポートする無線ＬＡＮシステムである。
【特許文献１】特開２００２−８０７５５号公報
【発明の開示】
【発明が解決しようとする課題】
【０００４】
通信システムにおける通信形態の基本形は、２つの端末装置間でデータの送受信を行うポイント・ツー・ポイント通信であり、多数の端末装置が接続されているネットワークを用いて、ポイント・ツー・ポイント通信を行う２つの端末装置を関連付けるためには、種々の方法が採用されている。
【０００５】
本発明は、このような問題点に鑑みてなされたものであり、通信を行う２つの端末装置を関連付ける新たなしくみを備えた通信システム、端末装置及びその制御方法を提供することを目的とする。
【課題を解決するための手段】
【０００６】
上記の課題を解決するため、本発明に係る通信システムは、ネットワークを介して接続される第１の端末装置及び第２の端末装置が通信を行う通信システムであって、前記第１及び第２の端末装置は、着脱可能な交換型記録媒体にアクセスするインターフェイス部を備えており、前記交換型記録媒体を介して、相手側の端末装置と通信を行うための情報を、前記第１及び第２の端末装置間で送受することを特徴とする。
【０００７】
上記の通信システムは、前記第１の端末装置が、装着された前記交換型記録媒体に、前記第２の端末装置へ通知する、前記第１の端末装置を識別するための第１の識別情報を保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報を読み取って保存すると共に、前記第１の端末装置へ通知する、前記第２の端末装置を識別するための第２の識別情報を前記交換型記録媒体に保存し、前記交換型記録媒体が前記第２の端末装置から取り出された後、前記交換型記録媒体の前記第１の端末装置への装着を検知したとき、前記第１の端末装置が、前記交換型記録媒体に保存されている前記第２の識別情報を読み取って保存するように構成することができる。
【０００８】
また、上記の通信システムは、前記第１の端末装置が、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報及び前記暗号通信関連情報を読み取って保存すると共に、前記第１の端末装置へ通知する、前記第２の端末装置を識別するための第２の識別情報を前記交換型記録媒体に保存し、前記交換型記録媒体が前記第２の端末装置から取り出された後、前記交換型記録媒体の前記第１の端末装置への装着を検知したとき、前記第１の端末装置が、前記交換型記録媒体に保存されている前記第２の識別情報を読み取って保存するように構成することができる。
【０００９】
また、上記の通信システムは、前記交換型記録媒体に、前記第２の端末装置に固有な固有ＩＤが不揮発的に書き込まれており、第１の端末装置が、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報を読み取って保存するように構成することができる。
【００１０】
また、上記の通信システムは、前記第１の端末装置が、暗号通信に必要な暗号通信関連情報を生成し、装着された前記交換型記録媒体に、前記第２の端末装置へ通知する、前記第１の識別情報及び前記暗号通信関連情報を保存すると共に、前記交換型記録媒体に書き込まれている前記固有ＩＤを、前記第２の端末装置から通知される情報として保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報及び前記暗号通信関連情報を読み取って保存するように構成することができる。
【００１１】
また、上記の通信システムは、前記交換型記録媒体に、固有ＩＤが不揮発的に書き込まれており、前記第１の端末装置が、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報を読み取って保存すると共に、前記交換型記録媒体に保存されている前記固有ＩＤを、前記第２の端末装置が前記第１の端末装置へ通知する情報として保存するように構成することができる。
【００１２】
また、上記の通信システムは、前記第１の端末装置が、暗号通信に必要な暗号通信関連情報を生成し、装着された前記交換型記録媒体に、前記第２の端末装置へ通知する、前記第１の端末装置を識別するための第１の識別情報及び前記暗号通信関連情報を保存すると共に、前記交換型記録媒体に書き込まれている前記固有ＩＤを、前記第２の端末装置から通知される情報として保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の情報及び前記暗号通信関連情報を読み取って保存すると共に、前記交換型記録媒体に保存されている前記固有ＩＤを、前記第２の端末装置が前記第１の端末装置へ通知する情報として保存するように構成することができる。
【００１３】
また、上記の通信システムは、前記第１の識別情報が保存された前記交換型記録媒体が前記第１の端末装置から取り出された後、前記交換型記録媒体の前記第２の端末装置への装着を検知したときに、前記第２の端末装置が、前記交換型記録媒体に保存されている前記固有ＩＤが、前記第２の端末装置に予め登録されている登録固有ＩＤに含まれるか否かを判定し、含まれている場合には、前記固有ＩＤを自端末装置が前記第１の端末装置へ通知する情報として保存すると共に、前記交換型記録媒体に保存されている前記第１の識別情報を読み取って保存する一方、含まれていない場合には、その時点で通信を終了するように構成することができる。
【００１４】
また、上記の通信システムは、前記第１の識別情報及び前記暗号通信関連情報が保存された前記交換型記録媒体が前記第１の端末装置から取り出された後、前記交換型記録媒体の前記第２の端末装置への装着を検知したとき、前記第２の端末装置が、前記交換型記録媒体に保存されている前記固有ＩＤが、前記第２の端末装置に予め登録されている登録固有ＩＤに含まれるか否かを判定し、含まれている場合には、前記固有ＩＤを前記第２の端末装置が前記第１の端末装置へ通知する情報として保存すると共に、前記交換型記録媒体に保存されている前記第１の識別情報及び前記暗号通信関連情報を読み取って保存する一方、含まれていない場合には、その時点で通信を終了するように構成することができる。
【００１５】
また、上記の通信システムは、前記第１の識別情報が保存された前記交換型記録媒体が前記第１の端末装置から取り出された後、前記交換型記録媒体の前記第２の端末装置への装着を検知したとき、前記第２の端末装置が、前記交換型記録媒体に保存されている前記固有ＩＤが、前記第２の端末装置に予め登録されている拒否固有ＩＤに含まれるか否かを判定し、含まれている場合には、その時点で通信を終了するように構成することができる。
【００１６】
また、上記の通信システムは、前記第１の識別情報及び前記暗号通信関連情報が保存された前記交換型記録媒体が前記第１の端末装置から取り出された後、前記交換型記録媒体の前記第２の端末装置への装着を検知したとき、前記第２の端末装置が、前記交換型記録媒体に保存されている前記固有ＩＤが、前記第２の端末装置に予め登録されている拒否固有ＩＤに含まれるか否かを判定し、含まれている場合には、その時点で通信を終了するように構成することができる。
【００１７】
また、上記の通信システムは、前記第１の端末装置が、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存し、前記交換型記録媒体が前記第１の端末装置から取り出された後、前記交換型記録媒体の前記第２の端末装置への装着を検知したとき、前記第２の端末装置が、前記交換型記録媒体に保存されている前記第１の識別情報及び前記暗号通信関連情報を読み取って保存すると共に、前記交換型記録媒体に保存されている前記暗号通信関連情報を消去するように構成することができる。
【００１８】
さらに、上記の課題を解決するため、本発明に係る端末装置は、ネットワークを介して接続される２つの端末装置が通信を行う通信システムの端末装置であって、着脱可能な交換型記録媒体にアクセスするインターフェイス部を備えており、前記交換型記録媒体を介して、相手側の端末装置と通信を行うための情報を、前記２つの端末装置間で送受することを特徴とする。
【００１９】
さらに、上記の課題を解決するため、本発明に係る制御方法は、ネットワークを介して接続される第１の端末装置と第２の端末装置がポイント・ツー・ポイント通信を行う通信システムの端末装置を制御する制御方法であって、前記第１及び第２の端末装置が着脱可能な交換型記録媒体にアクセスするインターフェイス部を備えており、前記交換型記録媒体を介して、相手側の端末装置と通信を行うための情報を、前記第１及び第２の端末装置間で送受することを特徴とする。
【００２０】
また、上記の制御方法は、前記第１の端末装置において、装着された前記交換型記録媒体に、前記第２の端末装置へ通知する、前記第１の端末装置を識別するための第１の識別情報を保存する手順と、前記交換型記録媒体が前記第１の端末装置から取り出された後、前記交換型記録媒体の前記第２の端末装置への装着を検知する手順と、前記第２の端末装置において、装着された前記交換型記録媒体に保存されている前記第１の識別情報を読み取って保存すると共に、前記第１の端末装置へ通知する、前記第２の端末装置を識別するための第２の識別情報を前記交換型記録媒体に保存する手順と、前記交換型記録媒体が前記第２の端末装置から取り出された後、前記交換型記録媒体の前記第１の端末装置への装着を検知する手順と、前記第１の端末装置において、装着された前記交換型記録媒体に保存されている前記第２の識別情報を読み取って保存する手順とを有するように構成することができる。
【００２１】
また、上記の制御方法は、前記第１の端末装置において、暗号通信に必要な暗号通信関連情報を生成すると共に、装着された前記交換型記録媒体に、前記第２の端末装置へ通知する、前記第１の端末装置を識別するための第１の識別情報及び前記暗号通信関連情報を保存する手順と、前記交換型記録媒体が前記第１の端末装置から取り出された後、前記交換型記録媒体の前記第２の端末装置への装着を検知する手順と、前記第２の端末装置において、装着された前記交換型記録媒体に保存されている前記第１の識別情報及び前記暗号通信関連情報を読み取って保存すると共に、前記第１の端末装置へ通知する、前記第２の端末装置を識別するための第２の識別情報を前記交換型記録媒体に保存する手順と、前記交換型記録媒体が前記第２の端末装置から取り出された後、前記交換型記録媒体の前記第１の端末装置への装着を検知する手順と、前記第１の端末装置において、装着された前記交換型記録媒体に保存されている前記第２の識別情報を読み取って保存する手順とを有するように構成することができる。
【００２２】
また、上記の制御方法は、前記交換型記録媒体に、前記第２の端末装置に固有な固有ＩＤを不揮発的に書き込む手順と、第１の端末装置において、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存する手順と、前記交換型記録媒体が前記第１の端末装置から取り出された後、前記交換型記録媒体の前記第２の端末装置への装着を検知する手順と、前記第２の端末装置において、装着された前記交換型記録媒体に保存されている前記第１の識別情報を読み取って保存する手順とを有するように構成することができる。
【００２３】
また、上記の制御方法は、前記交換型記録媒体に固有ＩＤを不揮発的に書き込む手順と、前記第１の端末装置において、装着された前記交換型記録媒体に、前記第１の端末装置が前記第２の端末装置に通知する、前記第１の端末装置を識別するための第１の識別情報を保存すると共に、前記交換型記録媒体に書き込まれている前記固有ＩＤを、前記第２の端末装置から通知される情報として保存する手順と、前記交換型記録媒体が前記第１の端末装置から取り出された後、前記交換型記録媒体の前記第２の端末装置への装着を検知する手順と、前記第２の端末装置において、装着された前記交換型記録媒体に保存されている前記第１の識別情報を読み取って保存すると共に、前記交換型記録媒体に保存されている前記固有ＩＤを、前記第２の端末装置が前記第１の端末装置へ通知する情報として保存する手順とを有するように構成することができる。
【００２４】
さらに、上記の課題を解決するため、本発明に係るプログラム及び記録媒体は、ネットワークを介して接続される第１の端末装置と第２の端末装置がポイント・ツー・ポイント通信を行う通信システムの端末装置を制御する制御方法をコンピュータに実行させるためのプログラム及び前記プログラムを記録したコンピュータ読み取り可能な記録媒体であって、前記第１及び第２の端末装置が着脱可能な交換型記録媒体にアクセスするインターフェイス部を備えており、前記制御方法が、前記第１の端末装置において、装着された前記交換型記録媒体に、前記第２の端末装置へ通知する、前記第１の端末装置を識別するための第１の識別情報を保存する手順と、前記交換型記録媒体が前記第１の端末装置から取り出された後、前記交換型記録媒体の前記第２の端末装置への装着を検知する手順と、  前記第２の端末装置において、装着された前記交換型記録媒体に保存されている前記第１の識別情報を読み取って保存すると共に、前記第１の端末装置へ通知する、前記第２の端末装置を識別するための第２の識別情報を前記交換型記録媒体に保存する手順と、前記交換型記録媒体が前記第２の端末装置から取り出された後、前記交換型記録媒体の前記第１の端末装置への装着を検知する手順と、前記第１の端末装置において、装着された前記交換型記録媒体に保存されている前記第２の識別情報を読み取って保存する手順とを有することを特徴とする。
【発明の効果】
【００２５】
本発明によれば、交換型記録媒体を用いて、通信を行う２つの端末装置間で通信に必要な情報を交換することができるので、確実な通信を行うことが可能となる。
【発明を実施するための最良の形態】
【００２６】
以下、本発明の実施の形態について図面を用いて説明する。
【００２７】
図１は、本発明の一実施形態に係る通信システムを示す。図１の通信システムにおいて、３つの無線通信端末装置ＷＡ、ＷＢ、ＷＣは、Ｗ−ＵＳＢ（Ｗｉｒｅｌｅｓｓ  Ｕｎｉｖｅｒｓａｌ  Ｓｅｒｉａｌ  Ｂｕｓ）通信による無線ＰＡＮを介して、ポイント・ツー・ポイント通信を行う。
【００２８】
ここで、無線通信端末装置ＷＡ、ＷＣは、装置機能としてプリンタ装置機能等の画像処理機能を備えており、Ｗ−ＵＳＢ通信における「デバイス」に相当する。無線通信端末装置ＷＡ、ＷＣとしては、例えば、複写機（デジタル複写機を含む）、プリンタ、ファクシミリ、デジタル複合機等が含まれる。また、無線通信端末装置ＷＢは、装置機能としてはホスト装置（例えば、パーソナルコンピュータ等）の機能を備えており、Ｗ−ＵＳＢ通信における「ホスト」に相当する。無線通信端末装置ＷＢとしては、例えば、ワークステーション装置等が含まれる。
【００２９】
図１の通信システムの場合、無線通信端末装置ＷＡと無線通信端末装置ＷＢとの間に通信パスＰ１が確立されることにより、無線通信端末装置ＷＡと無線通信端末装置ＷＢとの間でポイント・ツー・ポイント通信が行われる。無線通信端末装置ＷＢで発生した印刷ジョブが通信パスＰ１を介して無線通信端末装置ＷＡへ送信され、無線通信端末装置ＷＡでは、受信した印刷ジョブの印刷物を記録出力する。
【００３０】
また、図１の通信システムの場合、無線通信端末装置ＷＣと無線通信端末装置ＷＢとの間に通信パスＰ２が確立されることにより、無線通信端末装置ＷＣと無線通信端末装置ＷＢとの間でポイント・ツー・ポイント通信が行われる。
【００３１】
図２は、無線通信端末装置ＷＡ、ＷＣの構成の一例を示す。
【００３２】
図２において、プリンタ制御部１は、無線通信端末装置ＷＡ、ＷＣの動作を制御する。プリンタ操作部２は、無線通信端末装置ＷＡ、ＷＣの操作を行うための所定の操作キー等を備えている。プリンタ表示部３は、装置状態等の種々の情報を表示出力する。
【００３３】
メモリ部４は、プリンタ制御部１のワークエリアや印刷データを保存するためのページメモリ等を生成する。プリンタエンジン部５は、印刷ジョブの印刷物を記録出力する。
【００３４】
無線通信部６は、Ｗ−ＵＳＢの通信機能を実現する。外部記憶インターフェイス部７は、交換型記録媒体としてのメモリカードＭＣを装着脱すると共に、装着されているメモリカードＭＣにアクセスする。不揮発性メモリ部９は、例えば、Ｗ−ＵＳＢ通信に必要な種々の情報を保存する。
【００３５】
図３は、無線通信端末装置ＷＢの構成の一例を示す。
【００３６】
図３において、ＣＰＵ（中央処理装置）２１は、この無線通信端末装置ＷＢの動作制御を行う。ＲＯＭ（リード・オンリ・メモリ）２２は、ＣＰＵ２１が起動時に実行するプログラムや必要なデータ等を保存する。ＲＡＭ（ランダム・アクセス・メモリ）２３は、ＣＰＵ２１のワークエリア等を構成する。
【００３７】
キャラクタジェネレータ２４は、図形文字の表示データを生成する。時計回路２５は、現在の日時情報を出力する。Ｗ−ＵＳＢインターフェース回路２６は、Ｗ−ＵＳＢの通信動作を行う。Ｗ−ＵＳＢ伝送制御部２７は、Ｗ−ＵＳＢ通信を利用して他の無線通信端末装置との間で種々のデータを送受信するための各種所定のプロトコルスイートの通信制御処理を実行する。
【００３８】
磁気ディスク装置２８は、Ｗｅｂブラウザ等の種々のアプリケーションプログラム、ワークデータ、ファイルデータ、画情報データ等の種々のデータを保存する。ＣＲＴ画面表示装置２９は、この無線通信端末装置ＷＢを操作するための画面を表示する。表示制御部３０は、ＣＲＴ画面表示装置２８の表示内容を制御する。
【００３９】
キーボード装置３１は、この無線通信端末装置ＷＢに種々のキー操作を行う。画面指示装置３２は、ＣＲＴ画面表示装置２９の任意の点を指示する等の操作作業を行う。入力制御部３３は、キーボード装置３１及び画面指示装置３２の入力情報を無線通信端末装置内に取り込む。
【００４０】
外部記憶インターフェイス部３４は、交換型記録媒体としてのメモリカードＭＣを装着脱すると共に、装着されているメモリカードＭＣにアクセスする。
【００４１】
これらのＣＰＵ２１、ＲＯＭ２２、ＲＡＭ２３、キャラクタジェネレータ２４、時計回路２５、ローカルエリアネットワーク伝送制御部２７、磁気ディスク装置２８、表示制御部３０、入力制御部３３、及び、外部記憶インターフェイス部３４は、バス３５に接続されており、これらの各要素間のデータの送受信は、主としてこのバス３５を介して行われる。
【００４２】
この実施形態では、Ｗ−ＵＳＢ通信を利用したポイント・ツー・ポイント通信を行う場合、図４に示すように、ホストとデバイスの間で、それぞれの端末装置を関連付けるために必要な情報を送受信する。このような情報の送受信は、ポイント・ツー・ポイント通信の実行に先立つ認証作業の段階に相当する。
【００４３】
まず、ホスト（無線通信端末装置ＷＢ）は、デバイス（無線通信端末装置ＷＡ、ＷＣ）に対して、情報ＣＨＩＤ（Ｃｏｎｎｅｃｔｉｏｎ  Ｈｏｓｔ  ＩＤ）を通知し、デバイスは、この情報ＣＨＩＤを不揮発性メモリ部９に保存する。
【００４４】
次いで、デバイスは、ホストに対して、情報ＣＤＩＤ（Ｃｏｎｎｅｃｔｉｏｎ  Ｄｅｖｉｃｅ  ＩＤ）を通知し、ホストは、この情報ＣＤＩＤを不揮発性メモリ（例えば、磁気ディスク装置２８）に保存する。
【００４５】
このようにして、ホストとデバイスの間で情報ＣＨＩＤ、ＣＤＩＤを交換すると、それ以降は、その情報ＣＨＩＤ、ＣＤＩＤを、それぞれ相手側の端末装置の識別情報として利用し、そのときに実行するポイント・ツー・ポイント通信の相手側の端末装置を認識するための情報として用いられ、Ｗ−ＵＳＢ通信プロトコルに従った通信が行われる。
【００４６】
また、本実施形態では、情報ＣＨＩＤ、ＣＤＩＤの交換は、メモリカードＭＣ（交換型記録媒体）を用いて行う。
【００４７】
すなわち、無線通信端末装置ＷＢ（ホスト）は、メモリカードＭＣに、自端末に設定されているホストＩＤ（ＣＨＩＤ）を書き込む。
【００４８】
これにより、ユーザは、ホストＩＤが書き込まれたメモリカードＭＣを無線通信端末装置ＷＢの外部記憶インターフェイス部３４より取り出し、無線通信端末装置ＷＡまで運び、無線通信端末装置ＷＡの外部記憶インターフェイス部７に装着する。
【００４９】
無線通信端末装置ＷＡでは、外部記憶インターフェイス部７に装着されたメモリカードＭＣからホストＩＤを読み出して、これを不揮発性メモリ部９に保存する。
【００５０】
次いで、無線通信端末装置ＷＡは、自端末に設定されているデバイスＩＤ（ＣＤＩＤ）をメモリカードＭＣに書き込む。したがって、メモリカードＭＣには、図５（ａ）に示すように、ホストＩＤとデバイスＩＤが書き込まれる。
【００５１】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【００５２】
無線通信端末装置ＷＢでは、外部記憶インターフェイス部３４に装着されたメモリカードＭＣからデバイスＩＤを読み出して、これを磁気ディスク装置２８に保存する。
【００５３】
以上のようにして、無線通信端末装置ＷＡと無線通信端末装置ＷＢとは、メモリカードＭＣを用いて、ホストＩＤとデバイスＩＤの交換を行う。
【００５４】
ここで、ホストＩＤとしては、例えば、ＭＡＣ（Ｍｅｄｉａ  Ａｃｃｅｓｓ  Ｃｏｎｔｒｏｌ）アドレス等、端末装置に固有な値を用いることができる。また、デバイスＩＤとしては、例えば、ＭＡＣアドレスや製造番号等、端末固有な値を用いることができる。
【００５５】
図６（ａ）は、この場合のホスト（無線通信端末装置ＷＢ）が実行する処理の一例を示す。図６（ｂ）は、この場合のデバイス（無線通信端末装置ＷＡ、ＷＣ）が実行する処理の一例を示す。これら処理は、無線通信の実行に先立って、通信相手を認識するための認証動作に相当する。
【００５６】
まず、無線通信端末装置ＷＢ（ホスト）において、ユーザは、キーボード装置３１を操作して、ＩＤ設定を行うためのＩＤ設定モードに移行させる。次いで、ユーザは、メモリカードＭＣを外部記憶インターフェイス部３４に装着する。あるいは、移行前にメモリカードＭＣを外部記憶インターフェイス部３４に予め装着しておいてもよい。
【００５７】
外部記憶インターフェイス部３４は、メモリカードＭＣの無線通信端末装置ＷＢへの装着（挿入）及び無線通信端末装置ＷＢからのメモリカードＭＣの脱着（取出し）を検知する検知機能を備えている。メモリカードＭＣの装着を検知すると、外部記憶インターフェイス部３４は、装着されたメモリカードＭＣに、自端末に設定されているホストＩＤ（ＣＨＩＤ）を自動的に書き込む（ステップ１０１）。あるいは、メモリカードＭＣの装着を検知した後、ユーザが画面指示装置３２からホストＩＤの書き込み指示を入力してもよい。あるいは、検知機能を使わずに、メモリカードＭＣを装着したら、ユーザが画面指示装置３２からホストＩＤの書き込み指示を入力してもよい。
【００５８】
続いて、ユーザは、ホストＩＤが書き込まれたメモリカードＭＣを無線通信端末装置ＷＢの外部記憶インターフェイス部３４から取り出し、無線通信端末装置ＷＡ（デバイス）まで運び、無線通信端末装置ＷＡの外部記憶インターフェイス部７に装着する。
【００５９】
メモリカードＭＣが外部記憶インターフェイス部３４から取り出されると、無線通信端末装置ＷＢは、次回のメモリカードＭＣの挿入があるまで、待機状態に設定される。この待機状態において、他の処理動作（例えば、印刷動作や画面指示装置３２による他の処理動作等）を実行することも可能である。
【００６０】
無線通信端末装置ＷＡにおいても、ユーザは、まず、プリンタ操作部２を操作して、ＩＤ設定を行うためのＩＤ設定モードに移行させる。次いで、ユーザは、メモリカードＭＣを外部記憶インターフェイス部７に装着する。あるいは、移行前にメモリカードＭＣを外部記憶インターフェイス部７に予め装着しておいてもよい。
【００６１】
外部記憶インターフェイス部７は、メモリカードＭＣの無線通信端末装置ＷＡへの装着（挿入）及び無線通信端末装置ＷＡからのメモリカードＭＣの脱着（取出し）を検知する検知機能を備えている。メモリカードＭＣの装着を検知すると、外部記憶インターフェイス部７は、装着されたメモリカードＭＣからホストＩＤを自動的に読み出し、読み出したホストＩＤを不揮発性メモリ部９に保存する（ステップ２０１）。あるいは、メモリカードＭＣの装着を検知した後、ユーザがプリンタ操作部２からホストＩＤの読み出し指示を入力してもよい。あるいは、検知機能を使わずに、メモリカードＭＣを装着したら、ユーザがプリンタ操作部２からホストＩＤの読み出し指示を入力してもよい。
【００６２】
続いて、無線通信端末装置ＷＡの外部記憶インターフェイス部７は、装着されたメモリカードＭＣに、自端末に設定されているデバイスＩＤ（ＣＤＩＤ）を書き込む（ステップ２０２）。あるいは、ユーザがプリンタ操作部２からデバイスＩＤの書き込み指示を入力してもよい。あるいは、検知機能を使わずに、メモリカードＭＣを装着したら、ユーザがプリンタ操作部２からデバイスＩＤの書き込み指示を入力してもよい。
【００６３】
あるいは、ホストＩＤの読み出し動作と書き込み動作の順序はどちらを先に実行してもよい。
【００６４】
続いて、ユーザは、デバイスＩＤが書き込まれたメモリカードＭＣを無線通信端末装置ＷＡの外部記憶インターフェイス部７から取り出し、無線通信端末装置ＷＢまで運び、無線通信端末装置ＷＢの外部記憶インターフェイス部３４に装着する。
【００６５】
以上の設定後、無線通信端末装置ＷＡ（デバイス）は、無線通信部６の初期設定等の準備が完了していれば、無線通信が可能な状態となる（ステップ２０３）。メモリカードＭＣを外部記憶インターフェイス部７から取り出してから通信可能状態にしてもよい。また、無線通信端末装置ＷＡの電源をオンにした後、必要な設定を行って、ホストＩＤの取得が終了したら通信可能状態にしておくことで、無線通信端末装置ＷＢ（ホスト）の準備が出来次第、すぐに無線通信を開始することができる。
【００６６】
一方、無線通信端末装置ＷＢでは、メモリカードＭＣの装着を検知すると、外部記憶インターフェイス部３４は、装着されたメモリカードＭＣから自動的にデバイスＩＤを読み出し、読み出したデバイスＩＤを磁気ディスク装置２８に保存する（ステップ１０２）。あるいは、メモリカードＭＣの装着を検知した後、ユーザが画面指示装置３２からデバイスＩＤの読み出し指示を入力してもよい。
【００６７】
このようにして、無線通信端末装置ＷＡには、通信相手の無線通信端末装置ＷＢのホストＩＤが保存され、また、無線通信端末装置ＷＢには、通信相手の無線通信装置ＷＡのデバイスＩＤが保存されるので、それ以降、無線通信端末装置ＷＢと無線通信端末装置ＷＡの間で無線通信可能な状態となり（ステップ１０３）、無線通信を開始することができる（認証終了）。
【００６８】
以上のように、本実施形態では、無線通信端末装置の設置位置に左右されずに、通信を行う２つの無線通信端末装置を関連付けることができる。
【００６９】
ところで、無線通信を行う場合、他の無線通信端末装置に通信内容を傍受されるおそれがあるので、送受信する情報を暗号化する暗号化通信（暗号化無線通信）を行うことが好ましい。この暗号化通信のためには、暗号化のための情報（暗号鍵・復号鍵）等を通信に先立って交換しておく必要があり、その暗号鍵の交換に、メモリカードＭＣを用いることができる。
【００７０】
なお、この場合、暗号化方法としては、平文を暗号文に変換する暗号化処理に使用する暗号鍵と、暗号文を元の平文に変換する復号化に使用する復号鍵とが同一な共通暗号方式を適用することができる。すなわち、無線通信端末装置ＷＢ（ホスト）は、自端末に設定されているホストＩＤ（ＣＨＩＤ）をメモリカードＭＣに書き込む。
【００７１】
これにより、ユーザは、ホストＩＤが書き込まれたメモリカードＭＣを無線通信端末装置ＷＢの外部記憶インターフェイス部３４より取り出し、無線通信端末装置ＷＡまで運び、無線通信端末装置ＷＡの外部記憶インターフェイス部７に装着する。
【００７２】
無線通信端末装置ＷＡでは、外部記憶インターフェイス部７に装着されたメモリカードＭＣからホストＩＤを読み出して、これを不揮発性メモリ部９に保存する。
【００７３】
次いで、無線通信端末装置ＷＡは、自端末に設定されているデバイスＩＤ（ＣＤＩＤ）をメモリカードＭＣに書き込む。
【００７４】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【００７５】
無線通信端末装置ＷＢでは、外部記憶インターフェイス部３４に装着されたメモリカードＭＣからデバイスＩＤを読み出して、これを磁気ディスク装置２８に保存する。
【００７６】
次いで、無線通信端末装置ＷＢは、暗号通信に使用する暗号鍵（復号鍵）を生成し、メモリカードＭＣに保存する。したがって、この時点では、メモリカードＭＣには、図５（ｂ）に示すように、ホストＩＤ、デバイスＩＤ、及び、暗号鍵が書き込まれる。
【００７７】
これにより、ユーザは、ホストＩＤが書き込まれたメモリカードＭＣを無線通信端末装置ＷＢの外部記憶インターフェイス部３４より取り出し、無線通信端末装置ＷＡまで運び、無線通信端末装置ＷＡの外部記憶インターフェイス部７に装着する。
【００７８】
無線通信端末装置ＷＡでは、外部記憶インターフェイス部７に装着されたメモリカードＭＣから暗号鍵を読み出して、これを不揮発性メモリ部９に保存する。
【００７９】
以上のようにして、メモリカードＭＣを用いて、ホストＩＤとデバイスＩＤの交換、及び、暗号鍵の通知を行う（図５（ｂ）参照）。
【００８０】
図７（ａ）は、この場合のホスト（無線通信端末装置ＷＢ）が実行する処理の一例を示す。図７（ｂ）は、この場合のデバイス（無線通信端末装置ＷＡ、ＷＣ）が実行する処理の一例を示す。これら処理は、無線通信の実行に先立って、通信相手の端末装置を認識するための認証動作に相当する。
【００８１】
まず、無線通信端末装置ＷＢ（ホスト）は、メモリカードＭＣに、自端末に設定されているホストＩＤ（ＣＨＩＤ）を書き込む（ステップ３０１）。このステップにおける無線通信端末装置ＷＢの動作は図６（ａ）に示したステップ１０１と同様であるので、詳細な説明を省略する。
【００８２】
これにより、ユーザは、ホストＩＤが書き込まれたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【００８３】
無線通信端末装置ＷＡでは、外部記憶インターフェイス部７に装着されたメモリカードＭＣからホストＩＤを読み出して、これを不揮発性メモリ部９に保存する（ステップ４０１）。このステップにおける無線通信端末装置ＷＡの動作は図６（ｂ）に示したステップ２０１と同様であるので、詳細な説明を省略する。
【００８４】
次いで、無線通信端末装置ＷＡは、自端末に設定されているデバイスＩＤ（ＣＤＩＤ）をメモリカードＭＣに書き込む（ステップ４０２）。このステップにおける無線通信端末装置ＷＡの動作は図６（ｂ）に示したステップ２０２と同様であるので、詳細な説明を省略する。
【００８５】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【００８６】
無線通信端末装置ＷＢでは、外部記憶インターフェイス部３４に装着されたメモリカードＭＣからデバイスＩＤを読み出して、これを磁気ディスク装置２８に保存する（ステップ３０２）。このステップにおける無線通信端末装置ＷＢの動作は図６（ａ）に示したステップ１０２と同様であるので、詳細な説明を省略する。
【００８７】
次に、無線通信端末装置ＷＢでは、暗号化無線通信に使用する暗号鍵（復号鍵）を生成し（ステップ３０３）、メモリカードＭＣに書き込む（ステップ３０４）。
【００８８】
これにより、ユーザは、暗号鍵が追記されたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【００８９】
無線通信端末装置ＷＡでは、外部記憶インターフェイス部７に装着されたメモリカードＭＣから暗号鍵（復号鍵）を読み出して、これを不揮発性メモリ部９に保存する（ステップ４０３）。
【００９０】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ３０５、４０４）、暗号化無線通信を開始することができる（認証終了）。
【００９１】
以上のように、本実施形態では、無線通信端末装置の設置位置に左右されずに、通信を行う２つの無線通信端末装置を関連付けることができる。また、暗号化無線通信に必要な暗号鍵を交換することが可能である。
【００９２】
ところで、デバイス側で使用するデバイスＩＤは、デバイスの製造時に一意に決定することができるので、メモリカードＭＣの製造段階で、例えば、図５（ｃ）に示すように、デバイスＩＤを書換不可能な状態（例えば、ＲＯＭ領域等）で書き込み、このようなメモリカードＭＣを利用することができる。
【００９３】
図８（ａ）は、この場合のホスト（無線通信端末装置ＷＢ）が実行する処理の一例を示す。図８（ｂ）は、この場合のデバイス（無線通信端末装置ＷＡ、ＷＣ）が実行する処理の一例を示す。これら処理は、無線通信の実行に先立って、通信相手を認識するための認証動作に相当する。
【００９４】
まず、ユーザは、無線通信端末装置ＷＢ（ホスト）の外部記憶インターフェイス部３４に、無線通信端末装置ＷＡ（デバイス）のデバイスＩＤが書き込まれているメモリカードを装着する。
【００９５】
これにより、無線通信端末装置ＷＢでは、外部記憶インターフェイス部３４に装着されたメモリカードＭＣからデバイスＩＤを読み出して、これを磁気ディスク装置２８に保存する（ステップ５０１）。このステップにおける無線通信端末装置ＷＢの動作は図６（ａ）に示したステップ１０２と同様であるので、詳細な説明を省略する。
【００９６】
次に、無線通信端末装置ＷＢでは、暗号化無線通信に使用する暗号鍵（復号鍵）を生成し（ステップ５０２）、メモリカードＭＣに、自端末に設定されているホストＩＤ（ＣＨＩＤ）と暗号鍵を書き込む（ステップ５０３）。
【００９７】
これにより、ユーザは、ホストＩＤと暗号鍵が追記されたメモリカードＭＣを無線通信端末装置ＷＢの外部記憶インターフェイス部３４より取り出し、無線通信端末装置ＷＡまで運び、無線通信端末装置ＷＡの外部記憶インターフェイス部７に装着する。
【００９８】
無線通信端末装置ＷＡでは、外部記憶インターフェイス部７に装着されたメモリカードＭＣからホストＩＤと暗号鍵（復号鍵）を読み出して、これを不揮発性メモリ部９に保存する（ステップ６０１）。このステップにおける無線通信端末装置ＷＡの動作は図６（ｂ）に示したステップ２０１と同様であるので、詳細な説明を省略する。
【００９９】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ５０４、６０２）、暗号化無線通信を開始することができる（認証終了）。
【０１００】
以上のように、本実施形態では、無線通信端末装置の設置位置に左右されずに、通信を行う２つの無線通信端末装置を関連付けることができる。また、暗号化無線通信に必要な暗号鍵を交換することが可能である。また、あらかじめデバイスＩＤが書き込まれているメモリカードＭＣを利用することで、メモリカードＭＣの移動回数を減らすことができ、使い勝手が向上する。
【０１０１】
ところで、メモリカードＭＣとして、おのおのを識別できる固有ＩＤが書換不可能な領域（例えば、ＲＯＭ領域）に記録されているものを用いることができる。このようなメモリカードＭＣとしては、例えば、ＳＤカード（登録商標）、ＩＤ付スマートメディア（登録商標）、メモリースティック（登録商標）、ｘＤピクチャーカード（登録商標）、Ｓｅｃｕｒｅ  ＭｕｌｔｉＭｅｄｉａ  Ｃａｒｄ（登録商標）等がある（図５（ｄ）参照）。
【０１０２】
このようなメモリカードＭＣを利用した場合の、ホスト（無線通信端末装置ＷＢ）が実行する処理の一例、及びデバイス（無線通信端末装置ＷＡ、ＷＣ）が実行する処理の一例を図９（ａ）及び図９（ｂ）に示す。これらの処理は、無線通信の実行に先立って、通信相手を認識するための認証動作に相当する。
【０１０３】
まず、無線通信端末装置ＷＢ（ホスト）は、メモリカードＭＣに、自端末に設定されているホストＩＤ（ＣＨＩＤ）を書き込む（ステップ７０１）。このステップにおける無線通信端末装置ＷＢの動作は図６（ａ）に示したステップ１０１と同様であるので、詳細な説明を省略する。
【０１０４】
これにより、ユーザは、ホストＩＤが書き込まれたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１０５】
無線通信端末装置ＷＡでは、外部記憶インターフェイス部７に装着されたメモリカードＭＣからホストＩＤ、及び、メモリカードＭＣの固有ＩＤを読み出して、これを不揮発性メモリ部９に保存する（ステップ８０１）。このステップにおける無線通信端末装置ＷＡの動作は図６（ｂ）に示したステップ２０１と同様であるので、詳細な説明を省略する。
【０１０６】
次いで、無線通信端末装置ＷＡは、自端末に設定されているデバイスＩＤ（ＣＤＩＤ）の一部をメモリカードＭＣに書き込む（ステップ８０２）。
【０１０７】
これにより、ユーザは、デバイスＩＤの一部が追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【０１０８】
無線通信端末装置ＷＢでは、外部記憶インターフェイス部３４に装着されたメモリカードＭＣからデバイスＩＤの一部と、メモリカードＭＣの固有ＩＤを読み出し（ステップ７０２、７０４）、デバイスＩＤの一部と固有ＩＤとを合わせてデバイスＩＤを設定する（ステップ７０５）。
【０１０９】
次に、無線通信端末装置ＷＢでは、暗号化無線通信に使用する暗号鍵（復号鍵）を生成し（ステップ７０６）、メモリカードＭＣに書き込む（ステップ７０７）。
【０１１０】
これにより、ユーザは、暗号鍵が追記されたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１１１】
無線通信端末装置ＷＡでは、外部記憶インターフェイス部７に装着されたメモリカードＭＣから暗号鍵（復号鍵）を読み出して、これを不揮発性メモリ部９に保存する（ステップ８０４）。
【０１１２】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ７０８、８０５）、暗号化無線通信を開始することができる（認証終了）。
【０１１３】
ところで、上述した実施形態では、メモリカードＭＣの固有ＩＤとデバイスのデバイスＩＤの一部を用いて、そのときに行う無線通信（暗号化無線通信）に用いるデバイスＩＤを設定しているが、メモリカードＭＣの固有ＩＤをそのままデバイスＩＤとして用いることもできる（図５（ｅ）参照）。
【０１１４】
図１０（ａ）は、この場合のホスト（無線通信端末装置ＷＢ）が実行する処理の一例を示す。図１０（ｂ）は、この場合のデバイス（無線通信端末装置ＷＡ、ＷＣ）が実行する処理の一例を示す。これら処理は、無線通信の実行に先立って、通信相手を認識するための認証動作に相当する。
【０１１５】
まず、無線通信端末装置ＷＢ（ホスト）では、外部記憶インターフェイス部３４に装着されたメモリカードＭＣから固有ＩＤを読み出し（ステップ９０１）、読み出した固有ＩＤをデバイスＩＤに設定する（ステップ９０２）。
【０１１６】
次に、無線通信端末装置ＷＢでは、暗号化無線通信に使用する暗号鍵（復号鍵）を生成し（ステップ９０３）、メモリカードＭＣに、自端末に設定されているホストＩＤ（ＣＨＩＤ）と暗号鍵を書き込む（ステップ９０４）。
【０１１７】
これにより、ユーザは、ホストＩＤと暗号鍵が追記されたメモリカードＭＣを無線通信端末装置ＷＢの外部記憶インターフェイス部３４より取り出し、無線通信端末装置ＷＡまで運び、無線通信端末装置ＷＡの外部記憶インターフェイス部７に装着する。
【０１１８】
無線通信端末装置ＷＡでは、外部記憶インターフェイス部７に装着されたメモリカードＭＣから固有ＩＤを読み出して（ステップ１００１）、読み出した固有ＩＤをデバイスＩＤに設定する（ステップ１００２）。また、メモリカードＭＣからホストＩＤと暗号鍵（復号鍵）を読み出して、これを不揮発性メモリ部９に保存する（ステップ１００３）。
【０１１９】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ９０４、１００５）、暗号化無線通信を開始することができる（認証終了）。
【０１２０】
ところで、利用できるメモリカードＭＣをデバイス（無線通信端末装置ＷＡ、ＷＣ）側で制限することができる。この場合、メモリカードＭＣとしては、固有ＩＤが保存されているものを利用し、デバイスには、あらかじめ使用可能な固有ＩＤを登録しておく。
【０１２１】
図１１（ａ）は、この場合のホスト（無線通信端末装置ＷＢ）が実行する処理の一例を示す。図１１（ｂ）は、この場合のデバイス（無線通信端末装置ＷＡ、ＷＣ）が実行する処理の一例を示す。これら処理は、無線通信の実行に先立って、通信相手を認識するための認証動作に相当する。
【０１２２】
まず、無線通信端末装置ＷＢ（ホスト）は、メモリカードＭＣに、自端末に設定されているホストＩＤ（ＣＨＩＤ）を書き込む（ステップ１１０１）。このステップにおける無線通信端末装置ＷＢの動作は図６（ａ）に示したステップ１０１と同様であるので、詳細な説明を省略する。
【０１２３】
これにより、ユーザは、ホストＩＤが書き込まれたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１２４】
無線通信端末装置ＷＡでは、外部記憶インターフェイス部７に装着されたメモリカードＭＣから固有ＩＤを読み出し（ステップ１２０１）、読み出した固有ＩＤが、そのときに自端末に登録されている固有ＩＤに一致するか否かを判定する（ステップ１２０２）。
【０１２５】
ステップ１２０２の判定結果がＹＥＳになるときには、ホストＩＤを読み出して、これを不揮発性メモリ部９に保存する（ステップ１２０３）。
【０１２６】
次いで、無線通信端末装置ＷＡは、自端末に設定されているデバイスＩＤ（ＣＤＩＤ）をメモリカードＭＣに書き込む（ステップ１２０４）。このステップにおける無線通信端末装置ＷＡの動作は図６（ｂ）に示したステップ２０２と同様であるので、詳細な説明を省略する。
【０１２７】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【０１２８】
無線通信端末装置ＷＢでは、外部記憶インターフェイス部３４に装着されたメモリカードＭＣからデバイスＩＤを読み出して、これを磁気ディスク装置２８に保存する（ステップ１１０２）。このステップにおける無線通信端末装置ＷＢの動作は図６（ａ）に示したステップ１０２と同様であるので、詳細な説明を省略する。
【０１２９】
次に、無線通信端末装置ＷＢでは、暗号化無線通信に使用する暗号鍵（復号鍵）を生成し（ステップ１１０３）、メモリカードＭＣに書き込む（ステップ１１０４）。
【０１３０】
これにより、ユーザは、暗号鍵が追記されたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１３１】
無線通信端末装置ＷＡでは、外部記憶インターフェイス部７に装着されたメモリカードＭＣから固有ＩＤを読み出し（ステップ１２０５）、読み出した固有ＩＤが、そのときに自端末に登録されている固有ＩＤに一致するか否かを判定する（ステップ１２０６）。
【０１３２】
ステップ１２０６の判定結果がＹＥＳになるときには、メモリカードＭＣから暗号鍵を読み出して、これを不揮発性メモリ部９に保存する（ステップ１２０５）。
【０１３３】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ１１０５、１２０８）、暗号化無線通信を開始することができる（認証終了）。
【０１３４】
また、無線通信端末装置ＷＡで、装着されたメモリカードＭＣから読み出した固有ＩＤが、登録されている固有ＩＤに一致しないと判定された場合で、ステップ１２０２の判定結果がＮＯになるとき、及び、ステップ１２０６の判定結果がＮＯになるときには、プリンタ表示部３にメモリカード違いを表示して（ステップ１２０９）、このときの無線通信動作を行わない。
【０１３５】
図１２は、使用するメモリカードＭＣの固有ＩＤを登録する際の、無線通信端末装置ＷＡ、ＷＣが実行する処理の一例を示す。なお、この場合、管理者ユーザがあらかじめ登録されており、この登録作業は、管理者ユーザのみが行うことができる。
【０１３６】
メモリカード登録が要求されると、管理者パスワードの入力を要求し、ユーザに管理者パスワードを入力させる（ステップ１７０１）。あらかじめ登録されている管理者パスワードと、入力された管理者パスワードとを比較する。管理者パスワードが一致した場合、装着されているメモリカードＭＣから固有ＩＤを読み出し（ステップ１７０３）、読み出した固有ＩＤを、利用可能なＩＤとして登録する（ステップ１７０４）。
【０１３７】
また、管理者パスワードが相違する場合で、ステップ１７０２の判定結果がＮＯになるときには、プリンタ表示部３にパスワード違いを表示し（ステップ１７０５）、登録処理を実行しない。
【０１３８】
また、使用できないメモリカードＭＣ（禁止メモリカード）の固有ＩＤを登録し、装着されたメモリカードＭＣが禁止メモリカードの固有ＩＤとして登録されている場合には、それ以降の処理を行わないように制御することもできる。
【０１３９】
その場合、例えば、図１３に示した処理を行って、禁止メモリカードの固有ＩＤを登録する。
【０１４０】
禁止メモリカード登録が要求されると、管理者パスワードの入力を要求し、ユーザに管理者パスワードを入力させる（ステップ１８０１）。あらかじめ登録されている管理者パスワードと、入力された管理者パスワードとを比較する。管理者パスワードが一致した場合、使用するメモリカードＭＣの固有ＩＤとして登録されている固有ＩＤを読み出し（ステップ１８０３）、ステップ１８０３で読み出した固有ＩＤを禁止ＩＤ（禁止メモリカードの固有ＩＤ）として登録する（ステップ１８０４）。
【０１４１】
次いで、そのときに装着されているメモリカードＭＣから固有ＩＤを読み出し（ステップ１８０５）、読み出した固有ＩＤを、利用可能なＩＤとして登録する（ステップ１８０６）。
【０１４２】
また、管理者パスワードが相違する場合で、ステップ１８０２の判定結果がＮＯになるときには、プリンタ表示部３にパスワード違いを表示し（ステップ１８０７）、登録処理を実行しない。
【０１４３】
このようにして、禁止メモリカードを登録することで、例えば、使用メモリカードとして登録されていたメモリカードＭＣが紛失された場合等で、不正なメモリカードが使用されるような事態を回避することができる。
【０１４４】
ところで、暗号化無線通信を行う場合、メモリカードＭＣから暗号鍵を消去することが好ましい。
【０１４５】
図１４（ａ）及び図１４（ｂ）は、この場合のホスト（無線通信端末装置ＷＢ）及びデバイス（無線通信端末装置ＷＡ、ＷＣ）が実行する処理の一例を示す。これらの処理は、無線通信の実行に先立って、通信相手を認識するための認証動作に相当する。
【０１４６】
まず、無線通信端末装置ＷＢ（ホスト）は、メモリカードＭＣに、自端末に設定されているホストＩＤ（ＣＨＩＤ）を書き込む（ステップ１３０１）。このステップにおける無線通信端末装置ＷＢの動作は図６（ａ）に示したステップ１０１と同様であるので、詳細な説明を省略する。
【０１４７】
これにより、ユーザは、ホストＩＤが書き込まれたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１４８】
無線通信端末装置ＷＡでは、外部記憶インターフェイス部７に装着されたメモリカードＭＣからホストＩＤを読み出して、これを不揮発性メモリ部９に保存する（ステップ１４０１）。このステップにおける無線通信端末装置ＷＡの動作は図６（ｂ）に示したステップ２０１と同様であるので、詳細な説明を省略する。
【０１４９】
次いで、無線通信端末装置ＷＡは、自端末に設定されているデバイスＩＤ（ＣＤＩＤ）をメモリカードＭＣに書き込む（ステップ１４０２）。このステップにおける無線通信端末装置ＷＡの動作は図６（ｂ）に示したステップ２０２と同様であるので、詳細な説明を省略する。
【０１５０】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【０１５１】
無線通信端末装置ＷＢでは、外部記憶インターフェイス部３４に装着されたメモリカードＭＣからデバイスＩＤを読み出して、これを磁気ディスク装置２８に保存する（ステップ１３０２）。このステップにおける無線通信端末装置ＷＢの動作は図６（ａ）に示したステップ１０２と同様であるので、詳細な説明を省略する。
【０１５２】
次に、無線通信端末装置ＷＢでは、暗号化無線通信に使用する暗号鍵（復号鍵）を生成し（ステップ１３０３）、メモリカードＭＣに書き込む（ステップ１３０４）。
【０１５３】
これにより、ユーザは、暗号鍵が追記されたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１５４】
無線通信端末装置ＷＡでは、外部記憶インターフェイス部７に装着されたメモリカードＭＣから暗号鍵（復号鍵）を読み出して、これを不揮発性メモリ部９に保存し（ステップ１４０３）、次いで、メモリカードＭＣから暗号鍵を消去する（ステップ１４０４）。
【０１５５】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ１３０５、１４０５）、暗号化無線通信を開始することができる（認証終了）。
【０１５６】
また、メモリカードＭＣによっては、ライトプロテクト・ノッチを有し、ライトプロテクト状態に設定することができるものがある。
【０１５７】
図１５（ａ）及び図１５（ｂ）は、このように、ライトプロテクト状態に設定可能なメモリカードＭＣを用いる場合のホスト（無線通信端末装置ＷＢ）及びデバイス（無線通信端末装置ＷＡ、ＷＣ）が実行する処理の一例を示す。これらの処理は、無線通信の実行に先立って、通信相手を認識するための認証動作に相当する。
【０１５８】
まず、無線通信端末装置ＷＢ（ホスト）は、装着されているメモリカードＭＣがライトプロテクト状態に設定されているか否かを判定する（ステップ１５０１）。ステップ１５０１の判定結果がＮＯになるときには、メモリカードＭＣに、自端末に設定されているホストＩＤ（ＣＨＩＤ）を書き込む（ステップ１５０２）。このステップにおける無線通信端末装置ＷＢの動作は図６（ａ）に示したステップ１０１と同様であるので、詳細な説明を省略する。
【０１５９】
これにより、ユーザは、ホストＩＤが書き込まれたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１６０】
無線通信端末装置ＷＡでは、外部記憶インターフェイス部７に装着されたメモリカードＭＣからホストＩＤを読み出して、これを不揮発性メモリ部９に保存する（ステップ１６０１）。このステップにおける無線通信端末装置ＷＡの動作は図６（ｂ）に示したステップ２０１と同様であるので、詳細な説明を省略する。
【０１６１】
次いで、装着されたメモリカードＭＣがライトプロテクト状態に設定されているか否かを判定する（ステップ１６０２）。ステップ１６０２の判定結果がＮＯになるときには、自端末に設定されているデバイスＩＤ（ＣＤＩＤ）をメモリカードＭＣに書き込む（ステップ１４０２）。このステップにおける無線通信端末装置ＷＡの動作は図６（ｂ）に示したステップ２０２と同様であるので、詳細な説明を省略する。
【０１６２】
これにより、ユーザは、デバイスＩＤが追記されたメモリカードＭＣを無線通信端末装置ＷＡの外部記憶インターフェイス部７より取り出し、無線通信端末装置ＷＢまで運び、無線通信端末装置ＷＢの外部記憶インターフェイス部３４に装着する。
【０１６３】
無線通信端末装置ＷＢでは、外部記憶インターフェイス部３４に装着されたメモリカードＭＣからデバイスＩＤを読み出して、これを磁気ディスク装置２８に保存する（ステップ１５０３）。このステップにおける無線通信端末装置ＷＢの動作は図６（ａ）に示したステップ１０２と同様であるので、詳細な説明を省略する。
【０１６４】
次に、装着されているメモリカードＭＣがライトプロテクト状態に設定されているか否かを判定する（ステップ１５０４）。ステップ１５０４の判定結果がＮＯになるときには、暗号化無線通信に使用する暗号鍵（復号鍵）を生成し（ステップ１５０５）、メモリカードＭＣに書き込む（ステップ１５０６）。
【０１６５】
これにより、ユーザは、暗号鍵が追記されたメモリカードＭＣを無線通信端末装置ＷＢの外部記憶インターフェイス部３４より取り出し、無線通信端末装置ＷＡ（デバイス）まで運び、無線通信端末装置ＷＡの外部記憶インターフェイス部７に装着する。
【０１６６】
無線通信端末装置ＷＡでは、外部記憶インターフェイス部７に装着されたメモリカードＭＣから暗号鍵（復号鍵）を読み出して、これを不揮発性メモリ部９に保存し（ステップ１６０４）、次いで、メモリカードＭＣから暗号鍵を消去する（ステップ１６０５）。
【０１６７】
このようにして、無線通信端末装置ＷＡには、通信相手の無線通信端末装置ＷＢのホストＩＤと暗号通信に使用する暗号鍵（復号鍵）が保存され、また、無線通信端末装置ＷＢには、通信相手の無線通信装置ＷＡのデバイスＩＤと暗号通信に使用する暗号鍵が保存されるので、それ以降、無線通信端末装置ＷＢと無線通信端末装置ＷＡの間で暗号化無線通信可能な状態となり（ステップ１５０７、１６０６）、暗号化無線通信を開始することができる（認証終了）。
【０１６８】
一方、無線通信端末装置ＷＢで装着されたメモリカードＭＣがライトプロテクト状態に設定されていることが確認された場合で、ステップ１５０１の判定結果がＹＥＳになる場合、及び、ステップ１５０４の判定結果がＹＥＳになる場合には、ライトプロテクト状態である旨を表示して（ステップ１５０８）、その時点で、動作を終了し、無線通信を行わない。
【０１６９】
同様に、無線通信端末装置ＷＡで装着されたメモリカードＭＣがライトプロテクト状態に設定されていることが確認された場合で、ステップ１６０２の判定結果がＹＥＳになる場合には、ライトプロテクト状態である旨を表示して（ステップ１６０８）、その時点で、動作を終了し、無線通信を行わない。
【０１７０】
なお、上述した実施形態では、無線ＰＡＮとしてＷ−ＵＳＢ通信を利用した場合について説明したが、それ以外の無線ＬＡＮ等、同等な無線通信方式を適用した場合であっても、本発明を同様にして適用することができる。
【０１７１】
また、上述した実施形態では、無線ＰＡＮに本発明を適用した場合について説明したが、有線ネットワークシステムに本発明を適用することもできる。
【図面の簡単な説明】
【０１７２】
【図１】本発明の一実施形態に係る通信システムを示すブロック図である。
【図２】無線通信端末装置ＷＡ、ＷＣの構成の一例を示すブロック図である。
【図３】無線通信端末装置ＷＢの構成の一例を示すブロック図である。
【図４】ホストとデバイスとの間の情報の送受信の一例を説明するためのタイムチャートである。
【図５】メモリカードＭＣに保存される情報の一例を示す図である。
【図６】ホスト及びデバイスが実行する処理の一例を説明するためのフローチャートである。
【図７】ホスト及びデバイスが実行する処理の他の一例を説明するためのフローチャートである。
【図８】ホスト及びデバイスが実行する処理の他の一例を説明するためのフローチャートである。
【図９】ホスト及びデバイスが実行する処理の他の一例を説明するためのフローチャートである。
【図１０】ホスト及びデバイスが実行する処理の他の一例を説明するためのフローチャートである。
【図１１】ホスト及びデバイスが実行する処理の他の一例を説明するためのフローチャートである。
【図１２】メモリカード登録処理の一例を説明するためのフローチャートである。
【図１３】禁止メモリカード登録処理の一例を説明するためのフローチャートである。
【図１４】ホスト及びデバイスが実行する処理の他の一例を説明するためのフローチャートである。
【図１５】ホスト及びデバイスが実行する処理の他の一例を説明するためのフローチャートである。
【符号の説明】
【０１７３】
ＷＡ、ＷＢ、ＷＣ  無線通信端末装置
ＭＣ  メモリカード
６  無線通信部
７  外部記憶インターフェイス部
９  不揮発性メモリ部
２７  Ｗ−ＵＳＢ伝送制御部
２８  磁気ディスク装置
３４  外部記憶インターフェイス部
【図１】
2008022525.tif 000003
【図２】
2008022525.tif 000004
【図３】
2008022525.tif 000005
【図４】
2008022525.tif 000006
【図５】
2008022525.tif 000007
【図６】
2008022525.tif 000008
【図７】
2008022525.tif 000009
【図８】
2008022525.tif 000010
【図９】
2008022525.tif 000011
【図１０】
2008022525.tif 000012
【図１１】
2008022525.tif 000013
【図１２】
2008022525.tif 000014
【図１３】
2008022525.tif 000015
【図１４】
2008022525.tif 000016
【図１５】
2008022525.tif 000017